(57)【要約】【課題】    発電所の蒸気タービンのクロスオーバー管のように、高所に位置する大口径の配管の保温壁体の取付作業を仮設足場を組み立てずにできるようにする。【解決手段】    保温壁体（１）を、跨座エレメント（３）とサイドエレメント（５）、（５）で構成する。上記跨座エレメント（３）は、配管の上部分に載置され、上部分を覆う。上記サイドエレメント（５）、（５）は上記跨座エレメント（３）の下端両側に開閉可能に連結され、配管の下部分を覆う。取付作業は、クレーンで全体を吊り上げ、サイドエレメント（５）、（５）を開き、跨座エレメント（３）を配管の上部分に着座させた後、上記サイドエレメントを閉じて連結することにより完了する。【選択図】      図３
2006283893.tif 000002
【特許請求の範囲】
【請求項１】
大口径の配管の接続部を覆う保温壁体であって、該保温壁体は、配管の上部分に載置され該上部分を覆う跨座エレメントと該跨座エレメントの下端両側に開閉可能に連結され上記配管の下部分を覆うサイドエレメントを含むことを特徴とする大口径配管用保温壁体。
【請求項２】
上記跨座エレメントは上記配管の上部分を１８０度を覆い、上記サイドエレメントは下部分をそれぞれ９０度覆っている請求項１に記載の大口径配管用保温壁体。
【請求項３】
上記跨座エレメントは吊下用ワイヤーを取り付ける吊下部を有し、上記サイドエレメン
トは案内用ロープを取り付ける取付部を有する請求項１に記載の大口径配管用保温壁体。
【請求項４】
上記跨座エレメントは、下端から２０度〜４５度の位置に吊下用ワイヤーを取り付ける吊下部を有し、上記サイドエレメントは自由端側に案内用ロープを取り付ける取付部を有する請求項２に記載の大口径配管用保温壁体。
【発明の詳細な説明】
【技術分野】
【０００１】
本発明は、火力発電所の蒸気タービンの配管等に使用されているような大口径の配管の接続部を保温する大口径配管用保温壁体に関する。
【背景技術】
【０００２】
火力発電所の蒸気タービンの配管等には直径が約１ｍ若しくはそれ以上の大口径の配管が使用されている。例えば、クロスオーバー管（特許文献１参照）は、中圧タービンで仕事を行った蒸気を低圧タービンへ導入するよう中圧タービン（３０）と低圧タービン（３１）間に設けられ、具体的には、図４に示すように外周が固定保温体（３２）で覆われた複数の配管（３３）をフランジ継手やエキスパンション継手を介して接続し、該接続部（３４）を着脱可能な保温壁体（３５）で覆い、点検時に取り外すよう構成されているが、通常クロスオーバー管は高さ数ｍの個所に設けられるので、上記保温壁体の着脱は容易ではない。
【０００３】
従来、上記のような大口径の配管に取り付ける保温壁体は、略半割円筒状に作られた成形保温体を２つ用意し、これらを組み合わせて構成されているが、大口径のため重く、かつ上述したようにクロスオーバー管が高所に設けられているから、小口径に用いられる保温壁体のように簡単に取扱うことができず、着脱作業が非常に面倒である。図５は作業手順の一例を示し、先ず２つの成形保温体（３５ａ）、（３５ｂ）を上方から吊り上げやすいように床面上に配置し（同図（Ａ））、次に上記成形保温体の上方に設けた吊り金具（３６）に、シャックルを利用し取り付け方向を確かめた上、ワイヤー（３７）を取り付け、クレーン（３８）のチェーンブロック（３９）と連結し、吊り上げの準備を行う。この際、成形保温体の下方に設けた掛止具（４０）に案内用ロープ（４１）を取り付けておく（同図（Ｂ））。
【０００４】
一方、上記配管（３３）の下方には点検用の仮設足場（４２）を組み立ておき、作業員（４３）が上記配管（３３）の上や足場に載って待機する。そしてクレーンを操作して成形保温体（３５ａ）を上記配管（３３）に向けて移動し（同図（Ｃ））、案内用ロープを引いて該配管部の外装材を傷つけないよう注意しながら該配管の側面に当てがい、配管の上部や足場上に載っている作業員により、上記成形保温体（３５ａ）を周囲機器に仮止めして落下しないように保持する（同図（Ｄ））。その後、他方の成形保温体（３５ｂ）を上述と同じような作業手順で配管の他側面に取り付け、最後に２つの成形保温体（３５ａ）、（３５ｂ）を連結して装着が終了する。以上のように、従来の方法では、取付作業が煩雑で簡単に行うことができず、危険性もあり、短時間に行うこともむずかしい。
【特許文献１】特開平８−１７７４０９号公報（０００３項、図１１）
【発明の開示】
【発明が解決しようとする課題】
【０００５】
本発明の解決課題は、火力発電所の蒸気タービンに使用しているクロスオーバー管等のような大口径の配管の接続部を保温する保温壁体において、従来のように配管上に作業員が載って玉掛け作業をしたり、仮設足場を組み立てたりする作業をなくし、簡単かつ安全に点検作業等を行えるようにした大口径配管用保温壁体を提供することである。
【課題を解決するための手段】
【０００６】
本発明によれば、大口径の配管の接続部を覆う保温壁体であって、該保温壁体は、配管の上部分に載置され該上部分を覆う跨座エレメントと該跨座エレメントの下端両側に開閉可能に連結され上記配管の下部分を覆うサイドエレメントを含むことを特徴とする大口径配管用保温壁体が提供され、上記課題が解決される。
【発明の効果】
【０００７】
本発明は上記のように構成され、大口径の配管の上部分に載置され該上部分を覆う跨座エレメントと該跨座エレメントの下端両側に開閉可能に連結され上記配管の下部分を覆うサイドエレメントで保温壁体を構成したので、クレーンで保温壁体を吊り上げ、下方のサイドエレメントを開いた状態で跨座エレメントを配管上に降下し、その後上記サイドエレメントを閉じて自由端を連結すれば、簡単に取り付けでき、従来のように配管上に作業員が載ったり、仮設足場を組み立てる必要がなく、安全かつ短時間で取付作業を行うことができる。
【発明を実施するための最良の形態】
【０００８】
図１、図２は本発明の一実施例を示し、本発明の保温壁体（１）は、配管（２）上に載置される跨座エレメント（３）と、ヒンジ（４）により該跨座エレメント（３）の下端両側に開閉自在に取り付けられたサイドエレメント（５）を有する。上記跨座エレメント（３）は、配管（２）の上部分を覆い、サイドエレメント（５）は下部分を覆う大きさに形成され、図に示すように、好ましくは、上記跨座エレメント（３）は配管（２）の上部分を１８０度覆うように下端縁（６）がほぼ水平の半割状に形成され、上記サイドエレメント（５）は下部分をそれぞれ９０度覆うように自由端（７）と連結端（８）がほぼ直交する四半分の形状に形成されている。設置場所や配管の大きさ等により上記跨座エレメント（３）を半割状より小さく形成しサイドエレメント（５）を四半分より大きく形成したり、左右のサイドエレメント（５）の大きさを変えたり、３つ以上のエレメントで構成するようにしてもよい。
【０００９】
上記各エレメント（３）、（５）は、アングル材（９）やフラットバー（１０）で構成したフレームの内側にエキスパンドメタル（１１）を設け、外側に薄鋼板等で形成した外装材（１２）を設け、その間にセラミックウール（１３）やロックウール（１４）等の保温主体を挿入し、両側の内縁部にはパッキン用フエルト等で作られたがパッキング材（１５）を設けてある。また、上記跨座エレメント（３）の側面とサイドエレメント（５）の連結端（８）の側面やサイドエレメント（５）の自由端（７）の側面には、両者間をボルト、ナット等で固定できるよう連結部（１６）が形成されている。さらに、上記サイドエレメント（５）は、自由端（７）に沿ってフランジ（１７）を有し、該フランジ（１７）には連結ボルト等を挿通するための孔（１７ａ）が設けられ、両側のサイドエレメントを連結する連結部となっている。
【００１０】
上記跨座エレメント（３）には、吊下用ワイヤー（１８）（図３参照）を取り付けるための環状等の吊下部（１９）が設けられ、サイドエレメント（５）には案内用ロープ（２０）（図３参照）を取り付けるための環状等の取付部（２１）が設けられている。これらの吊下部（１９）や取付部（２１）は、取付作業を容易にするよう適宜位置に設けることができるが、図に示すように跨座エレメント（３）を半割状にし、サイドエレメント（５）を四半分状に形成した場合は、上記吊下部（１９）を、跨座エレメント（３）の下端縁（６）から約２０度〜４５度の範囲内に設け、上記取付部（２１）をサイドエレメント（５）の自由端側に設けることが好ましい。
【００１１】
クロスオーバー管等の大口径の配管（２）は、図２に示すようなフランジ継手（２２）の場合は、配管（２）の周囲に設けた固定保温体（２３）とフランジ（２２）の間に保温体止めリング（２４）と防熱布団（２５）を設け、これらの外周を囲むように本発明の保温壁体（１）が取り付けられる。
【００１２】
図３を参照して取付作業を説明すると、上記保温壁体（１）は、吊り上げやすいように跨座エレメント（３）が上側に位置する状態で床等に配置され（同図（Ａ））、該跨座エレメント（３）の吊下部（１９）にシャックルを利用し取り付け向きを確かめた上で吊下用ワイヤー（１８）を取り付けて吊り上げの準備を行うと共に上記サイドエレメント（５）の取付部（２１）に案内用ロープ（２０）を取り付ける（同図（Ｂ））。
【００１３】
次にクレーンを移動させて配管（２）の上方に移動させた後、上記案内用ロープ（２０）を作業員（２６）が側方に引いてサイドエレメント（５）を開口させながら降下し、配管部を傷つけないように跨座エレメント（３）を配管（２）上に着座させる（同図（Ｃ））。その後、上記サイドエレメント（５）を閉じ、下部の連結部（１６）やフランジ（１７）等をボルト、ナットで締着すれば、作業が終了する。
【図面の簡単な説明】
【００１４】
【図１】本発明の一実施例を示す斜視図。
【図２】配管に取り付けた状態の一部の拡大説明図。
【図３】本発明の保温壁体の取付作業手順を示す説明図。
【図４】クロスオーバー管の一例を示す説明図。
【図５】従来の保温壁体の取付作業手順を示す説明図。
【符号の説明】
【００１５】
１    保温壁体
３    跨座エレメント
５    サイドエレメント
１９    吊下部
２１    取付部
【図１】
2006283893.tif 000003
【図２】
2006283893.tif 000004
【図３】
2006283893.tif 000005
【図４】
2006283893.tif 000006
【図５】
2006283893.tif 000007